(57)【特許請求の範囲】
【請求項１】
動画表示領域内のユーザが指示した第１の位置を検出する位置検出ステップと、
ユーザが前記指示したときのフレームを検出するフレーム検出ステップと、
前記第１の位置が前記動画表示領域を２分割した領域の一方又は他方のどちらにあるかを判定する位置判定ステップと、
前記第１の位置が前記２分割した領域の一方にあるときは、前記検出したフレームよりも時間的に後の第１の数のフレームのサムネイルを生成し、前記第１の位置が前記２分割した領域の他方にあるときは、前記検出したフレームよりも時間的に前の第２の数のフレームのサムネイルを生成するサムネイル生成ステップと、
前記生成した第１又は第２の数のサムネイルを前記動画表示領域に表示させるサムネイル表示指示ステップと、
前記表示させた第１又は第２の数のサムネイルのうちの、ユーザが選択したサムネイルを検出する選択検出ステップと、
前記検出したサムネイルに対応するフレーム以降の動画を再生させて、前記動画表示領域に表示させる動画再生指示ステップと
を有する動画再生方法。
【請求項２】
前記サムネイル生成ステップは、
予めタグが付されたフレームのサムネイルを生成する
請求項１に記載の動画再生方法。
【請求項３】
前記サムネイル表示指示ステップと前記選択検出ステップとの間に、更に、
前記動画表示領域内のユーザが指示した第２の位置を検出する位置再検出ステップと、
前記第１の位置と前記第２の位置との位置関係を判定する位置再判定ステップと、
前記位置関係に基づいて、前記検出したフレームよりも時間的に後の、前記第１の数を増減させた数のフレームのサムネイル、又は、前記検出したフレームよりも時間的に前の、前記第２の数を増減させた数のフレームのサムネイルを再生成するサムネイル再生成ステップと、
前記再生成したサムネイルを前記動画表示領域に表示させるサムネイル再表示指示ステップと
を有する請求項１記載の動画再生方法。
【請求項４】
前記サムネイル再生成ステップは、
前記第２の位置が前記動画表示領域を２分割した方向と直交する方向において前記第１の位置よりも一方側で検出されたときにサムネイル数を増加させ、また、前記第２の位置が前記動画表示領域を２分割した方向と直交する方向において前記第１の位置よりも他方側で検出されたときにサムネイル数を減少させて、サムネイルを再生成する
請求項３記載の動画再生方法。
【請求項５】
前記サムネイル再生成ステップは、
予めタグが付されたフレームのサムネイルを再生成する
請求項３に記載の動画再生方法。
【請求項６】
コンピュータに、
動画表示領域内のユーザが指示した第１の位置を検出する位置検出手順と、
ユーザが前記指示したときのフレームを検出するフレーム検出手順と、
前記第１の位置が前記動画表示領域を２分割した領域の一方又は他方のどちらにあるかを判定する位置判定手順と、
前記第１の位置が前記２分割した領域の一方にあるときは、前記検出したフレームよりも時間的に後の第１の数のフレームのサムネイルを生成し、前記第１の位置が前記２分割した領域の他方にあるときは、前記検出したフレームよりも時間的に前の第２の数のフレームのサムネイルを生成するサムネイル生成手順と、
前記生成した第１又は第２の数のサムネイルを前記動画表示領域に表示させるサムネイル表示指示手順と、
前記表示させた第１又は第２の数のサムネイルのうちの、ユーザが選択したサムネイルを検出する選択検出手順と、
前記検出したサムネイルに対応するフレーム以降の動画を再生させて、前記動画表示領域に表示させる動画再生指示手順と
を実行させるための動画再生プログラム。
【請求項７】
動画表示領域内のユーザが指示した第１の位置を検出する位置検出部と、
ユーザが前記指示したときのフレームを検出するフレーム検出部と、
前記第１の位置が前記動画表示領域を２分割した領域の一方又は他方のどちらにあるかを判定する位置判定部と、
前記第１の位置が前記２分割した領域の一方にあるときは、前記検出したフレームよりも時間的に後の第１の数のフレームのサムネイルを生成し、前記第１の位置が前記２分割した領域の他方にあるときは、前記検出したフレームよりも時間的に前の第２の数のフレームのサムネイルを生成するサムネイル生成部と、
前記生成した第１又は第２の数のサムネイルを前記動画表示領域に表示させるサムネイル表示指示部と、
前記表示させた第１又は第２の数のサムネイルのうちの、ユーザが選択したサムネイルを検出する選択検出部と、
前記検出したサムネイルに対応するフレーム以降の動画を再生させて、前記動画表示領域に表示させる動画再生指示部と
を備えた動画再生装置。
【発明の詳細な説明】
【技術分野】
【０００１】
本発明は動画再生方法、動画再生プログラム及び動画再生装置に関する。
【背景技術】
【０００２】
動画データ全体の内容を把握するための動画再生方法が開発されている。例えば、特許文献１には、動画分割表示方法において、動画データを所定の時間間隔で分割し、時間間隔毎の先頭フレームを静止画データとして時系列的に取り出し、複数のサムネイルを生成して表示することが記載されている。
【先行技術文献】
【特許文献】
【０００３】
【特許文献１】特開２００６−２７９２６７号公報
【発明の概要】
【発明が解決しようとする課題】
【０００４】
しかしながら、背景技術に係る動画再生方法では、巻戻しや早送りの操作において、観たいシーンへの位置合わせが複雑であり、また、意図するシーンからの再生が困難であった。さらに、早送り方向又は巻戻し方向にあるシーンを再生したいときに、複数の操作手順を必要としていた。
【０００５】
本発明は、このような問題を解決するためになされたものであり、より少ない操作手順で早送り方向又は巻戻し方向の観たいシーンを検索し、動画を簡単に再生することができる動画再生方法、動画再生プログラム及び動画再生装置を提供することを目的とする。
【課題を解決するための手段】
【０００６】
そこで、本発明は、動画表示領域内のユーザが指示した第１の位置を検出する位置検出ステップと、ユーザが指示したときのフレームを検出するフレーム検出ステップと、第１の位置が動画表示領域を２分割した領域の一方又は他方のどちらにあるかを判定する位置判定ステップと、第１の位置が動画表示領域を２分割した領域の一方にあるときは、検出したフレームよりも時間的に後の第１の数のフレームのサムネイルを生成し、第１の位置が動画表示領域を２分割した領域の他方にあるときは、検出したフレームよりも時間的に前の第２の数のフレームのサムネイルを生成するサムネイル生成ステップと、生成した第１又は第２の数のサムネイルを動画表示領域に表示させるサムネイル表示指示ステップと、表示させた第１又は第２の数のサムネイルのうちの、ユーザが選択したサムネイルを検出する選択検出ステップと、検出したサムネイルに対応するフレーム以降の動画を再生させて、動画表示領域に表示させる動画再生指示ステップとを有する動画再生方法を提供する。
【０００７】
また、本発明は、コンピュータに、動画表示領域内のユーザが指示した第１の位置を検出する位置検出手順と、ユーザが指示したときのフレームを検出するフレーム検出手順と、第１の位置が動画表示領域を２分割した領域の一方又は他方のどちらにあるかを判定する位置判定手順と、第１の位置が動画表示領域を２分割した領域の一方にあるときは、検出したフレームよりも時間的に後の第１の数のフレームのサムネイルを生成し、第１の位置が２分割した領域の他方にあるときは、検出したフレームよりも時間的に前の第２の数のフレームのサムネイルを生成するサムネイル生成手順と、生成した第１又は第２の数のサムネイルを動画表示領域に表示させるサムネイル表示指示手順と、表示させた第１又は第２の数のサムネイルのうちの、ユーザが選択したサムネイルを検出する選択検出手順と、検出したサムネイルに対応するフレーム以降の動画を再生させて、動画表示領域に表示させる動画再生指示手順とを実行させるための動画再生プログラムを提供する。
【０００８】
また、本発明は、動画表示領域内のユーザが指示した第１の位置を検出する位置検出部と、ユーザが指示したときのフレームを検出するフレーム検出部と、第１の位置が動画表示領域を２分割した領域の一方又は他方のどちらにあるかを判定する位置判定部と、第１の位置が動画表示領域を２分割した領域の一方にあるときは、検出したフレームよりも時間的に後の第１の数のフレームのサムネイルを生成し、第１の位置が動画表示領域を２分割した領域の他方にあるときは、検出したフレームよりも時間的に前の第２の数のフレームのサムネイルを生成するサムネイル生成部と、生成した第１又は第２の数のサムネイルを動画表示領域に表示させるサムネイル表示指示部と、表示させた第１又は第２の数のサムネイルのうちの、ユーザが選択したサムネイルを検出する選択検出部と、検出したサムネイルに対応するフレーム以降の動画を再生させて、動画表示領域に表示させる動画再生指示部とを備えた動画再生装置を提供する。
【発明の効果】
【０００９】
本発明により、より少ない操作手順で早送り方向又は巻戻し方向の観たいシーンを検索し、動画を簡単に再生する動画再生方法、動画再生プログラム及び動画再生装置を提供することができる。
【図面の簡単な説明】
【００１０】
【図１】実施の形態１に係る動画再生装置１の概略構成を示すブロック図である。
【図２】実施の形態１に係る動画再生方法の処理手順を示すフローチャートである。
【図３】実施の形態１に係る動画再生方法のユーザ指示処理を説明するための図である。
【図４】実施の形態１に係る動画再生方法のサムネイル表示処理を説明するための図である。
【図５】実施の形態１に係る動画再生方法のサムネイル選択処理を説明するための図である。
【図６】実施の形態１に係る動画再生方法のサムネイル生成処理のいくつかの例を説明するための図である。
【図７】実施の形態２に係る動画再生方法の処理手順を示すフローチャートである。
【図８】実施の形態２に係る動画再生方法のサムネイルの再生成処理、再表示処理を説明するための図である。
【発明を実施するための形態】
【００１１】
以下、図面を参照して各実施の形態に係る動画再生装置及び動画再生方法について説明する。
（実施の形態１）
本実施の形態１に係る動画再生装置又は動画再生方法は、動画表示領域内のユーザが指示した位置に応じて、今のフレームよりも時間的に前の複数のフレームのサムネイル（縮小画像）、又は、時間的に後の複数のフレームのサムネイルを生成して、動画表示領域に表示し、ユーザが選択したサムネイルに対応するフレーム以降の動画を再生するものである。
【００１２】
まず、本実施の形態１に係る動画再生装置の構成について説明する。
図１は、本実施の形態１に係る動画再生装置１の概略構成を示すブロック図である。
動画再生装置１は、タッチパネル１０、操作受付部２０、画像信号処理部３０、パネル制御部４０、画像表示部５０などを備えている。動画再生装置１は、例えば、タブレットＰＣ、スマートフォン、カムコーダなどである。
【００１３】
タッチパネル１０は、画像表示部５０の画像表示面の全面に装着されており、ユーザはタッチパネル１０に指などで接触して動画再生装置１を操作する。
操作受付部２０は、ユーザがタッチパネル１０に接触して入力する指示を受け付け、当該指示を画像信号処理部３０に出力する。
【００１４】
画像信号処理部３０は、ユーザの指示に応じて、複数のフレームのサムネイルを生成してパネル制御部４０に出力する。また、画像信号処理部３０は、ユーザの指示に応じて、画像表示部５０に表示したサムネイルに対応するフレーム以降の動画をパネル制御部４０に出力させる。
このために、画像信号処理部３０は、位置検出部３１、フレーム検出部３２、位置判定部３３、サムネイル生成部３４、サムネイル表示指示部３５、選択検出部３６、動画再生指示部３７などを備える。これらの構成の詳細については後述する。
【００１５】
パネル制御部４０は、画像表示部５０でサムネイル又は動画像が適切に表示されるように、画像表示部５０を制御する。
画像表示部５０は、サムネイル又は動画像を表示する。画像表示部５０は、例えば、液晶パネルである。
【００１６】
なお、画像信号処理部３０が実現する各構成要素は、例えば、コンピュータである画像信号処理部３０が備える演算装置（図示せず）の制御によって、プログラムを実行させることによって実現できる。より具体的には、画像信号処理部３０は、記憶部（図示せず）に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア、及びソフトウェアのうちのいずれかの組み合わせ等により実現しても良い。
【００１７】
上述したプログラムは、様々なタイプの非一時的なコンピュータ可読媒体（non-transitory computer readable medium）を用いて格納され、画像信号処理部３０に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００１８】
また、プログラムは、様々なタイプの一時的なコンピュータ可読媒体（transitory computer readable medium）によって画像信号処理部３０に供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムを画像信号処理部３０に供給できる。
【００１９】
次に、本実施の形態１に係る動画再生装置１の動作、すなわち、動画再生方法について説明する。
図２は、本実施の形態１に係る動画再生方法の処理手順を示すフローチャートである。
【００２０】
まず、動画再生装置１が画像表示部５０の全領域又は一部の領域で動画を再生しているときに、又は、動画の再生を一時停止しているときに、ユーザが動画表示領域に対応するタッチパネル１０の一箇所を長押しすると、操作受付部２０がそのことを感知し、当該操作に係る情報を画像信号処理部３０に出力する（ステップＳ１０）。
【００２１】
なお、本明細書では、「動画表示領域」は、動画を表示する領域のみを指しても良いし、動画を表示する領域とその周囲の各種アイコンなどを表示する領域とを合わせた領域、例えば、ウインドウの領域を指しても良い。そして、動画を表示する領域又はウインドウの領域が画像表示部５０の全領域を占めるときは、画像表示部５０の全領域が「動画表示領域」となる。
【００２２】
図３は、本実施の形態１に係る動画再生方法のユーザ指示処理を説明するための図である。図３（ａ）はユーザが早送りを指示するときの指示方法を、図３（ｂ）はユーザが巻戻しを指示するときの指示方法を示す。
【００２３】
動画表示領域５はあらかじめ早送り指示領域５Ｌと巻戻し指示領域５Ｒとに２分割されている。なお、図３では、早送り指示領域５Ｌ、巻戻し指示領域５Ｒをそれぞれ破線や文字で示しているが、実際にはこのような破線や文字が表示されていなくても良い。また、動画表示領域５、早送り指示領域５Ｌ及び巻戻し指示領域５Ｒのそれぞれの端部が一致していても良い。また、動画表示領域５を２分割する方法も、図３に示すような左右分割以外に、上下分割、対角線などを挟むような分割であっても良い。
【００２４】
ユーザは動画再生装置１に早送りを指示するときは早送り指示領域５Ｌのどこか一箇所を長押しする。また、巻戻しを指示するときは巻戻し指示領域５Ｒのどこか一箇所を長押しする。
【００２５】
次に、位置検出部３１が、ユーザがステップＳ１０で長押ししたときの動画表示領域５内での位置（第１の位置）６Ｌ、６Ｒを検出し、位置判定部３３に出力する（ステップＳ２０）。このとき、位置検出部３１は、操作受付部２０から位置情報（座標）を入力することにより、位置６Ｌ、６Ｒを検出することもできる。
【００２６】
また、フレーム検出部３２が、ユーザがステップＳ１０で長押ししたときのフレームを検出し、サムネイル生成部３４に出力する（ステップＳ３０）。ここで、長押ししたときのフレームとは、ユーザが動画を再生しているときに長押ししたのであれば、例えば、長押しを開始したときに表示していたフレームや、長押しにより一時停止して表示するフレームであり、ユーザが動画を一時停止しているときに長押ししたのであれば、例えば、一時停止により表示しているフレームである。つまり、長押ししたときのフレームをどのフレームにするかはあらかじめ設定することができる。
なお、本実施の形態１に係る動画再生方法ではステップＳ２０とステップＳ３０とは順不同で良く、もちろん、同時であっても良い。
【００２７】
次に、位置判定部３３が、ユーザが長押しした位置６は、動画表示領域を２分割した領域の一方又は他方のどちらにあるか、すなわち、早送り指示領域５Ｌ又は巻戻し指示領域５Ｒのどちらにあるかを判定し、判定結果をサムネイル生成部３４に出力する（ステップＳ４０）。
【００２８】
次に、サムネイル生成部３４が、ユーザが長押しした位置６が早送り指示領域５Ｌにあるときに、ステップＳ３０でフレーム検出部３２が検出したフレームよりも時間的に後の複数（第１の数）のフレームのサムネイルを生成してパネル制御部４０に出力する。また、サムネイル生成部３４は、ユーザが長押しした位置６が巻戻し指示領域５Ｒにあるときに、フレーム検出部３２が検出したフレームよりも時間的に前の複数（第２の数）のフレームのサムネイルを生成してサムネイル表示指示部３５に出力する（ステップＳ５０）。
【００２９】
なお、サムネイル生成部３４は複数のサムネイルを生成するときに、フレーム検出部３２が検出したフレームから動画の最後のフレーム又は最初のフレームまでを所定の数で等分して所定の数のサムネイルを生成するようにしても良いし、サムネイルを生成するフレームの時間間隔を任意に設定して任意の数のサムネイル（例えば、５分間隔で６枚のサムネイル、３分間隔で９枚のサムネイル）を生成するようにしても良い。このために、検出したフレームよりも時間的に後の第１の数のフレームと、検出したフレームよりも時間的に前の第２の数のフレームとは、同数であっても異なる数であっても良い。
【００３０】
次に、サムネイル表示指示部３５が、ステップＳ５０でサムネイル生成部３４が生成した第１又は第２の数のサムネイルをパネル制御部４０を介して画像表示部５０に表示させる（ステップＳ６０）。
図４は、本実施の形態１に係る動画再生方法のサムネイル表示処理を説明するための図である。図４（ａ）はユーザが早送りを指示したときのサムネイル７の表示方法を、図４（ｂ）はユーザが巻戻しを指示したときのサムネイル７の表示方法を示す。
【００３１】
ユーザがステップＳ１０で早送り指示領域５Ｌの一箇所（第１の位置６Ｌ）を長押しして早送りを指示したときは、サムネイル表示指示部３５は、第１の数のサムネイル７を巻戻し指示領域５Ｒ側（図４（ａ）では、第１の位置６Ｌの右側）に、例えば、ｍ行ｎ列の行列状に表示させる（ｍ、ｎは１以上の整数）。また、ユーザがステップＳ１０で巻戻し指示領域５Ｒの一箇所（第１の位置６Ｒ）を長押しして巻戻しを指示したときは、サムネイル表示指示部３５は、第２の数のサムネイル７を早送り指示領域５Ｌ側（図４（ｂ）では、第１の位置６Ｒの左側）に、例えば、ｍ行ｎ列の行列状に表示させる。
【００３２】
このとき、サムネイル表示指示部３５は、表示させるサムネイル７がユーザが長押ししている位置（第１の位置６Ｌ、６Ｒ）に重ならないようにできるのであれば、サムネイル７をどのような配置で表示させても良い。図４では、吹き出しパターン中にサムネイル７を表示しているが、このような吹き出しパターンは無くても良い。
【００３３】
次に、選択検出部３６が、ステップ６０で表示させたサムネイル７のうちのどのサムネイル７をユーザが選択したかを検出し、その情報を動画再生指示部３７に出力する（ステップＳ７０）。
図５は、本実施の形態１に係る動画再生方法のサムネイル選択処理を説明するための図である。図５（ａ）はユーザが早送りを指示したときのサムネイル７の選択方法を、図５（ｂ）はユーザが巻戻しを指示したときのサムネイル７の選択方法を示す。
【００３４】
ユーザは、ステップＳ６０で画像表示部５０にサムネイルが表示された後に、表示されたサムネイルを確認し、観たいシーンのサムネイル７を選択する。このとき、ユーザは、タッチパネル１０の長押しした第１の位置６Ｌ、６Ｒから指を離すことなく、観たいシーンのサムネイル７がある位置８Ｒ、８Ｌまで指をスライドさせて、観たいシーンのサムネイル７を選択することもできるし、タッチパネル１０からいったん指を離した後、改めてタッチパネル１０に指を接触させて、観たいシーンのサムネイル７を選択することもできる。
【００３５】
次に、動画再生指示部３７が、ステップＳ７０でユーザが選択したサムネイルに対応するフレーム以降の動画の全部又は一部を少なくとも再生させるように画像信号処理部３０に指示して、パネル制御部４０を介して、画像表示部５０で動画を表示させる。
【００３６】
このように、本実施の形態１に係る動画再生装置１又は動画再生方法は、動画表示領域５内のユーザが指示した位置に応じて、今のフレームよりも時間的に前、又は、時間的に後の複数のフレームのサムネイルを生成して、動画表示領域に表示し、ユーザが選択したサムネイルに対応するフレーム以降の動画を再生するもので、より少ない操作手順で早送り方向又は巻戻し方向の観たいシーンを検索し、動画を簡単に再生することができる。
【００３７】
なお、本実施の形態１に係る動画再生装置１又は動画再生方法では、動画再生装置１をタブレットＰＣなどで構成し、タッチパネルに指で接触して各指示を入力する場合について説明したが、タッチパネルに非接触操作可能なものを用いて非接触で各指示を入力しても良いし、また、動画再生装置１をノートＰＣ又はデスクトッＰＣなどで構成し、マウスにより各指示を入力するようにしても良い。この場合は、指をタップ、スライドすることに代えて、マウスをクリック、ドラッグアンドドロップすれば良い。また、入力手段として、タッチパネル、マウスなどに代えて、動作認識手段、視線認識手段などを用いても良い。
【００３８】
また、本実施の形態１に係る動画再生装置１又は動画再生方法では、動画再生装置をタブレットＰＣなどとして一体的に構成させたが、位置検出部３１、フレーム検出部３２、位置判定部３３、サムネイル生成部３４、サムネイル表示指示部３５、選択検出部３６、動画再生指示部３７などを動画再生指示装置として分離し、タブレットＰＣなどの動画再生装置とは別に構成させても良い。
【００３９】
また、本実施の形態１に係る動画再生装置１又は動画再生方法では、サムネイル生成部３４が所定の数の、又は、任意の時間間隔のフレームのサムネイルを生成するようにしたが、ユーザがあらかじめ動画に対してタグを入力しておき、サムネイル生成部３４がタグに対応するフレームのサムネイルを生成するようにしても良い。
【００４０】
例えば、ユーザがスポーツに関する動画を録画中又は再生中にゴールシーンなどでタグを入力しておき、ユーザが動画表示領域５を長押しして早送り又は巻戻しを指示したときに、サムネイル生成部３４が当該ゴールシーンなどのフレームのサムネイルを生成するようにしても良い。
【００４１】
また、ユーザがあらかじめ動画に対してタグを入力しておき、ユーザが動画表示領域５を長押して、サムネイル生成部３４が所定の数の、又は、任意の時間間隔のフレームのサムネイルを生成するときに、サムネイルを生成するフレームが当該タグに関連する場合に、サムネイルがタグに関連する旨の表示を付与しても良いし、サムネイル生成部３４が所定の数の、又は、任意の時間間隔のサムネイルと、当該タグに対応するサムネイルとの両方を生成するようにしても良い。
【００４２】
また、サムネイル生成部３４は所定の数の、又は、任意の時間間隔のフレームのサムネイルを生成するときに、当該フレームの近くにタグがあった場合は、代わりにタグに対応するフレームのサムネイルを生成するようにしても良い。
図６は、本実施の形態１に係る動画再生方法のサムネイル生成処理のいくつかの例を説明するための図である。
【００４３】
図６（ａ）に示すように、サムネイル生成部３４は、任意の時間間隔のフレームのサムネイルＴＮ１〜ＴＮ５をそれぞれ生成することができる。
また、図６（ｂ）に示すように、サムネイル生成部３４は、任意の時間間隔内にタグがないときには、当該時間間隔の先頭のフレームのサムネイルＴＮ１を生成し、任意の時間間隔内にそれぞれタグＴＧ１〜タグＴＧ４があるときには、タグＴＧ１〜タグＴＧ４の位置のフレーム全てのサムネイルＴＮ２〜ＴＮ４、ＴＮαを生成することもできる。もちろん、サムネイルＴＮ４、ＴＮαのように、任意の時間間隔内で複数のサムネイルＴＮを生成することもできる。
【００４４】
また、図６（ｃ）に示すように、サムネイル生成部３４は、任意の時間間隔内にそれぞれタグＴＧ１〜タグＴＧ４があり、サムネイルＴＮ２〜ＴＮ４、ＴＮαを生成したときに、サムネイルＴＮ２とサムネイルＴＮ３とのように、サムネイル間の時間が長くなった場合に、更に、サムネイルＴＮβを生成することもできる。
なお、タグは、ユーザがマニュアルで入力するようにしても良いし、装置が音声レベルの高いシーン、カメラのパンニングが大きいシーンなどに自動で入力するようにしても良い。また、いくつかのタグの入力方法を組み合わせても良い。
【００４５】
上述したように、本実施の形態１に係る動画再生方法は、動画表示領域５内のユーザが指示した第１の位置６を検出する位置検出ステップＳ２０と、ユーザが指示したときのフレームを検出するフレーム検出ステップＳ３０と、第１の位置６が動画表示領域５を２分割した領域の一方５Ｌ又は他方５Ｒのどちらにあるかを判定する位置判定ステップＳ４０と、第１の位置６が動画表示領域５を２分割した領域の一方５Ｌにあるときは、検出したフレームよりも時間的に後の第１の数のフレームのサムネイル７を生成し、第１の位置６が動画表示領域５を２分割した領域の他方５Ｒにあるときは、検出したフレームよりも時間的に前の第２の数のフレームのサムネイル７を生成するサムネイル生成ステップＳ５０と、生成した第１又は第２の数のサムネイル７を動画表示領域５に表示させるサムネイル表示指示ステップＳ６０と、表示させた第１又は第２の数のサムネイル７のうちの、ユーザが選択したサムネイル７を検出する選択検出ステップＳ７０と、検出したサムネイル７に対応するフレーム以降の動画を再生させて、動画表示領域５に表示させる動画再生指示ステップＳ８０とを有するものである。
【００４６】
また、実施の形態１に係る動画再生装置１は、動画表示領域５内のユーザが指示した第１の位置６を検出する位置検出部３１と、ユーザが指示したときのフレームを検出するフレーム検出部３２と、第１の位置６が動画表示領域５を２分割した領域の一方５Ｌ又は他方５Ｒのどちらにあるかを判定する位置判定部３３と、第１の位置６が動画表示領域５を２分割した領域の一方５Ｌにあるときは、検出したフレームよりも時間的に後の第１の数のフレームのサムネイル７を生成し、第１の位置６が動画表示領域５を２分割した領域の他方５Ｒにあるときは、検出したフレームよりも時間的に前の第２の数のフレームのサムネイル７を生成するサムネイル生成部３４と、生成した第１又は第２の数のサムネイル７を動画表示領域５に表示させるサムネイル表示指示部３５と、表示させた第１又は第２の数のサムネイル７のうちの、ユーザが選択したサムネイル７を検出する選択検出部３６と、検出したサムネイル７に対応するフレーム以降の動画を再生させて、動画表示領域５に表示させる動画再生指示部３７とを備えるものである。
【００４７】
（実施の形態２）
本実施の形態２に係る動画再生装置又は動画再生方法は、早送り方向又は巻戻し方向の複数のフレームのサムネイルを生成して動画表示領域に表示したときに、ユーザの指示に基づいて、サムネイルの数を増減して再生成、再表示して、ユーザがより検索しやすくしたり、サムネイルを観やすくしたりするものである。
本実施の形態２に係る動画再生装置の構成は、実施の形態１に係る動画再生装置１に係るものと同様で良く、ここでは、図示及び説明を省略する。
【００４８】
図７は、本実施の形態２に係る動画再生方法の処理手順を示すフローチャートである。
ステップＳ１０〜ステップＳ６０、ステップＳ７０、ステップＳ８０の各処理は、実施の形態１に係るものと同様で良く、ここでは、繰り返しの説明を省略する。
図８は、本実施の形態２に係る動画再生方法のサムネイルの再生成処理、再表示処理を説明するための図である。図８（ａ）、（ｂ）は、図４（ａ）、図５（ａ）にそれぞれ対応する。
【００４９】
図８（ｂ）に示すように、ユーザの長押しに対応して、サムネイル表示指示部３５が早送り方向の複数のサムネイル７を表示したとき（ステップＳ６０）に、図８（ｃ）、（ｄ）、（ｅ）に示すように、ユーザは指を上下方向にスライドさせるか、上下の位置で再タップして、動画表示領域５の位置（第２の位置）６Ｕ、６Ｄ１又は６Ｄ２を再指示する。
すると、操作受付部２０が当該再指示を感知し、当該再指示に係る情報を画像信号処理部３０に出力する（ステップＳ６１）。
【００５０】
次に、位置検出部３１が、ユーザがステップＳ６１でスライド又は再タップしたときの動画表示領域５内での位置６Ｕ、６Ｄ１又は６Ｄ２を検出し、位置判定部３３に出力する（ステップＳ６２）。
次に、位置判定部３３が、ユーザがスライドなどをした位置（第２の位置）６Ｕ、６Ｄ１又は６Ｄ２は、長押ししたときの位置（第１の位置）６Ｌの上方又は下方のどちらにあるかを判定し、判定結果をサムネイル生成部３４に出力する（ステップＳ６３）。
【００５１】
次に、サムネイル生成部３４が、ユーザがスライドなどをした位置６Ｕが長押ししたときの位置６Ｌの上方にあるときに、ステップＳ５０で生成した数（第１の数）よりも多い数のフレームのサムネイル９を再生成してパネル制御部４０に出力する。また、サムネイル生成部３４は、ユーザがスライドなどをした位置６Ｄ１、６Ｄ２が長押ししたときの位置６Ｌの下方にあるときに、ステップＳ５０で生成した数（第１の数）よりも少ない数のフレームのサムネイル９を再生成してパネル制御部４０に出力する（ステップＳ６４）。
【００５２】
このとき、サムネイル生成部３４は、ユーザがスライドなどをした位置６Ｕが、動画表示領域５の上方になるほど再生成するサムネイル９の数を増やし、ユーザがスライドなどをした位置６Ｄ１、６Ｄ２が、動画表示領域５の下方になるほど再生成するサムネイル９の数を減らす。
【００５３】
また、サムネイル生成部３４は、ステップＳ５０で生成したサムネイル７に新たなサムネイルを追加したり、ステップＳ５０で生成したサムネイル７の一部のサムネイルを削除したりして、サムネイル９を再生成することもできる。
【００５４】
次に、サムネイル表示指示部３５が、図８（ｃ）、（ｄ）、（ｅ）に示すように、ステップＳ６４でサムネイル生成部３４が再生成したサムネイル９をパネル制御部４０を介して画像表示部５０に表示させる（ステップＳ６５）。
そして、図８（ｆ）にしめすように、ユーザが再表示したサムネイル９のいずれかを選択すると、選択検出部３６が、ユーザが選択したサムネイル９を検出し、その情報を動画再生指示部３７に出力する（ステップＳ７０）。
【００５５】
次に、動画再生指示部３７が、ステップＳ７０でユーザが選択したサムネイル９に対応するフレーム以降の動画の全部又は一部を少なくとも再生させるように画像信号処理部３０に指示して、パネル制御部４０を介して、画像表示部５０で動画を表示させる。
このように、本実施の形態２に係る動画再生装置１又は動画再生方法は、早送り方向又は巻戻し方向の複数のフレームのサムネイルを生成して動画表示領域に表示したときに、ユーザの指示に基づいて、サムネイルの数を増減して再生成、再表示して、ユーザがより検索しやすくしたり、サムネイルを観やすくしたりするものである。
【００５６】
なお、本実施の形態２に係る動画再生装置１又は動画再生方法では、指を上下方向に移動させて、指の位置によりサムネイルの数の増減を指示したが、例えば、タッチパネル１０を押す指の力を強くしたり、指を右回転又は左回転させたり、指の動きによりサムネイル数の増減を指示するようにしても良い。
【００５７】
上述したように、本実施の形態２に係る動画再生方法は、サムネイル表示指示ステップＳ６０と選択検出ステップＳ７０との間に、更に、動画表示領域５内のユーザが指示した第２の位置６を検出する位置再検出ステップＳ６２と、第１の位置６Ｌ、６Ｒと第２の位置６Ｕ、６Ｄ１、６Ｄ２との位置関係を判定する位置再判定ステップＳ６３と、位置関係に基づいて、検出したフレームよりも時間的に後の、第１の数を増減させた数のフレームのサムネイル９、又は、検出したフレームよりも時間的に前の、第２の数を増減させた数のフレームのサムネイル９を再生成するサムネイル再生成ステップＳ６４と、再生成したサムネイル９を動画表示領域５に表示させるサムネイル再表示指示ステップＳ６５とを有することが好ましい。
【００５８】
また、本実施の形態２に係る動画再生方法は、サムネイル再生成ステップＳ６４が、第２の位置が動画表示領域５を２分割した方向と直交する方向において第１の位置６Ｌ、６Ｒよりも一方側で検出されたときにサムネイル数を増加させ、また、第２の位置が動画表示領域を２分割した方向と直交する方向において第１の位置６Ｌ、６Ｒよりも他方側で検出されたときにサムネイル数を減少させて、サムネイルを再生成することが好ましい。
【００５９】
すなわち、サムネイル再生成ステップＳ６４では、早送り指示領域及び巻戻し指示領域として動画表示領域５を左右に２分割している場合には、第１の位置６Ｌ、６Ｒ及び第２の位置について、動画表示領域５の分割方向と直交する方向である上下の位置関係を検出した結果に基づいて、また、早送り指示領域及び巻戻し指示領域として動画表示領域５を上下に２分割した場合には、第１の位置及び第２の位置について、動画表示領域５の分割方向と直行する方向である左右の位置関係を検出した結果に基づいて、サムネイル数を増減させることが好ましい。
【００６０】
つまり、サムネイル再生成ステップＳ６４は、第２の位置を第１の位置６Ｌ、６Ｒの一方側で検出したときにサムネイル数を増加させ、また、第２の位置を第１の位置６Ｌ、６Ｒの他方側で検出したときにサムネイル数を減少させて、サムネイルを再生成することが好ましい。
【００６１】
また、本実施の形態２に係る動画再生方法は、サムネイル生成ステップＳ５０、又は、サムネイル再生成ステップＳ６４は、あらかじめタグが付されたフレームのサムネイル７、９を生成又は再生成することが好ましい。
【符号の説明】
【００６２】
１    動画再生装置
５    動画表示領域
５Ｌ    早送り指示領域
５Ｒ    巻戻し指示領域
７、９    サムネイル
１０    タッチパネル
２０    操作受付部
３０    画像信号処理部
３１    位置検出部
３２    フレーム検出部
３３    位置判定部
３４    サムネイル生成部
３５    サムネイル表示指示部
３６    選択検出部
３７    動画再生指示部
４０    パネル制御部
５０    画像表示部
【図１】
0006651884.tif 000002
【図２】
0006651884.tif 000003
【図３】
0006651884.tif 000004
【図４】
0006651884.tif 000005
【図５】
0006651884.tif 000006
【図６】
0006651884.tif 000007
【図７】
0006651884.tif 000008
【図８】
0006651884.tif 000009